(57)【要約】【課題】デジタルフォトフレームのような画像表示装置において、額縁の模様、スライドショーの効果、ＢＧＭなどを後から変更可能とする。【解決手段】光ディスク２０は、再生専用（ＲＯＭ）領域と記録可能（ＲＥ）領域との両方を有しており、ＲＥ領域に画像データが格納され、ＲＯＭ領域には額縁の模様、スライドショーの効果、ＢＧＭ等のアプリケーションデータが格納される。光ディスク２０がディスクドライバ部に挿入されると、ＲＥ領域から画像データが読み出されて表示部１２にて表示されると共に、ＲＯＭ領域からアプリケーションデータが用いられて、額縁の合成、スライドショーの実行、あるいはＢＧＭの再生等に利用される。【選択図】図１
2011166343.tif 000002
【特許請求の範囲】
【請求項１】
再生専用領域と記録可能領域との両方を有し、上記記録可能領域に画像データを格納しており、上記再生専用領域にアプリケーションデータを格納している光記録媒体を駆動可能であり、上記光記録媒体に対するデータの読み出しを行うディスクドライバ部と、
上記光記録媒体の記録可能領域から読み出された画像データを用いて表示データを生成する表示データ生成部と、
上記表示データ生成部によって生成された表示データを表示する表示部とを備えており、
上記光記録媒体から読み出された画像データを上記表示部にて表示する時には、上記光記録媒体の再生専用領域から少なくとも１種類のアプリケーションデータを読み出して用いることを特徴とする画像表示装置。
【請求項２】
上記光記録媒体の再生専用領域には、アプリケーションデータとして合成用画像データが格納可能であり、
上記表示データ生成部は、上記記録可能領域から読み出された画像データに上記再生専用領域から読み出された合成用画像データを合成した画像を表示データとして生成することを特徴とする請求項１に記載の画像表示装置。
【請求項３】
上記光記録媒体の再生専用領域には、アプリケーションデータとしてプログラムデータが格納可能であり、
上記表示データ生成部は、上記再生専用領域から読み出されたプログラムデータに従って、上記記録可能領域から読み出された画像データの表示が行われるように表示データを生成することを特徴とする請求項１または２に記載の画像表示装置。
【請求項４】
上記光記録媒体の再生専用領域には、アプリケーションデータとして音楽データが格納可能であり、
上記再生専用領域から読み出された音楽データを再生する音楽再生部を備えていることを特徴とする請求項１から３の何れか１項に記載の画像表示装置。
【請求項５】
外部メモリとの接続部を備え、
上記ディスクドライバ部は、接続された外部メモリから読み出される画像データを、上記光記録媒体の記録可能領域に書き込み可能であることを特徴とする請求項１から４の何れか１項に記載の画像表示装置。
【請求項６】
上記光記録媒体の記録可能領域には、画像データおよびアプリケーションデータの選択設定情報が記録可能であり、
上記ディスクドライバ部に上記光記録媒体が挿入された時には、上記選択設定情報に基づいて、表示に使用する画像データ、および表示と同時に用いるアプリケーションデータが選択されることを特徴とする請求項１から５の何れか１項に記載の画像表示装置。
【請求項７】
再生専用領域と記録可能領域との両方を有し、上記記録可能領域に画像データを格納しており、上記再生専用領域にアプリケーションデータを格納している光記録媒体に対して、上記記録可能領域から読み出された画像データを用いて表示データを生成する表示データ生成工程と、
上記表示データ生成工程によって生成された表示データを表示する表示工程とを備えており、
上記光記録媒体から読み出された画像データを上記表示工程にて表示する時には、上記光記録媒体の再生専用領域から少なくとも１種類のアプリケーションデータを読み出して用いることを特徴とする画像表示方法。
【請求項８】
再生専用領域と記録可能領域との両方を有し、記録可能領域か画像データを読み出して表示する画像表示装置の制御プログラムであって、
上記光記録媒体の再生専用領域には、アプリケーションデータが格納されており、
上記記録可能領域から読み出された画像データを用いて表示データを生成する表示データ生成ステップと、
上記表示データ生成工程によって生成された表示データを表示部に出力する表示ステップと、
上記表示ステップを行う時に、上記光記録媒体の再生専用領域から少なくとも１種類のアプリケーションデータを読み出すアプリケーション読み出しステップと、をコンピュータに実行させるための画像表示装置の制御プログラム。
【請求項９】
請求項８に記載の画像表示装置の制御プログラムを記録したコンピュータ読み取り可能な記録媒体。
【請求項１０】
再生専用領域と記録可能領域との両方を有する光記録媒体において、
上記再生専用領域には、アプリケーションデータが格納されており、
上記アプリケーションデータは、上記記録可能領域に記録される画像データの再生を行う時に同時に用いられるものであることを特徴とする光記録媒体。
【請求項１１】
上記アプリケーションデータとして、合成用画像データが格納されており、
上記合成用画像データは、上記記録可能領域から読み出された画像データを表示する時に、この画像データに合成して表示されるものであることを特徴とする請求項１０に記載の光記録媒体。
【請求項１２】
上記アプリケーションデータとして、プログラムデータが格納されており、
上記プログラムデータは、上記記録可能領域から読み出された画像データの表示を制御するものであることを特徴とする請求項１０または１１に記載の光記録媒体。
【請求項１３】
上記アプリケーションデータとして、音楽データが格納されており、
上記音楽データは、上記記録可能領域から読み出された画像データを表示する時に、同時に再生されるものであることを特徴とする請求項１０から１２の何れか１項に記載の光記録媒体。
【発明の詳細な説明】
【技術分野】
【０００１】
本発明は、液晶ディスプレイなどの表示部を備え、該表示部に写真等の画像データを表示する画像表示装置（例えば、デジタルフォトフレーム）に関する。
【背景技術】
【０００２】
近年、液晶ディスプレイなどの表示部と、上記表示部に表示される画像データを格納する記憶装置とを備えたデジタルフォトフレームが普及してきている。デジタルフォトフレームでは、ユーザーがデジタルカメラ等で撮影した画像を、写真立てのような感覚で部屋に置いたフレームに表示することができる。
【０００３】
これらのデジタルフォトフレームでは、ユーザーが表示したい画像は本体に内蔵したメモリ、あるいは着脱可能なメモリあるいは光ディスクメディアなどに格納される。一方、画像を表示するためのアプリケーションは、あらかじめ本体に内蔵されたメモリ上に格納されている（例えば、特許文献１）。
【先行技術文献】
【特許文献】
【０００４】
【特許文献１】特開２０１０−４１１８号公報（２０１０年１月７日公開）
【発明の概要】
【発明が解決しようとする課題】
【０００５】
しかしながら、上述のような従来技術では、画像を表示するためのアプリケーションは、あらかじめ本体に内蔵されたメモリ上に格納されていることにより、ユーザーは一度購入したデジタルフォトフレームのアプリケーションを後から変更することは不可能である。例えば、写真の額縁に使う模様、スライドショーの効果、ＢＧＭなどを後から変更することは困難である。
【０００６】
本願発明は、上記の課題に鑑みてなされたものであり、デジタルフォトフレームのような画像表示装置において、額縁の模様、スライドショーの効果、ＢＧＭなどを後から変更可能とすることを目的とする。
【課題を解決するための手段】
【０００７】
上記の課題を解決するために、本発明は、再生専用領域と記録可能領域との両方を有し、上記記録可能領域に画像データを格納しており、上記再生専用領域にアプリケーションデータを格納している光記録媒体を駆動可能であり、上記光記録媒体に対するデータの読み出しを行うディスクドライバ部と、上記光記録媒体の記録可能領域から読み出された画像データを用いて表示データを生成する表示データ生成部と、上記表示データ生成部によって生成された表示データを表示する表示部とを備えており、上記光記録媒体から読み出された画像データを上記表示部にて表示する時には、上記光記録媒体の再生専用領域から少なくとも１種類のアプリケーションデータを読み出して用いることを特徴としている。
【０００８】
上記の構成によれば、光記録媒体の再生専用領域に格納されたアプリケーションデータは予め光記録媒体に記録されるものとなり、ユーザーは好みのアプリケーションデータが格納された光記録媒体を購入することができる。上記光記録媒体を交換することで、画像表示装置のアプリケーションを後から変更することが可能となる。
【０００９】
さらに、光記録媒体は、再生専用領域と記録可能領域とを備えたハイブリッドディスクであるため、ユーザーは、記録可能領域に格納された写真等の画像データに、自分の好みのアプリケーションデータを組み合わせたパッケージとして光記録媒体を得ることができる。
【００１０】
また、上記画像表示装置では、上記光記録媒体の再生専用領域には、アプリケーションデータとして合成用画像データが格納可能であり、上記表示データ生成部は、上記記録可能領域から読み出された画像データに上記再生専用領域から読み出された合成用画像データを合成した画像を表示データとして生成する構成とすることができる。
【００１１】
上記の構成によれば、写真等の画像データに、額縁模様等の合成用画像データを合成して表示させることができる。
【００１２】
また、上記画像表示装置では、上記光記録媒体の再生専用領域には、アプリケーションデータとしてプログラムデータが格納可能であり、上記表示データ生成部は、上記再生専用領域から読み出されたプログラムデータに従って、上記記録可能領域から読み出された画像データの表示が行われるように表示データを生成する構成とすることができる。
【００１３】
上記の構成によれば、例えばスライドショー（複数の画像データが格納されている時に、これらの画像データを順次表示するような効果）などの効果を持つ表示を行わせることができる。
【００１４】
また、上記画像表示装置では、上記光記録媒体の再生専用領域には、アプリケーションデータとして音楽データが格納可能であり、上記再生専用領域から読み出された音楽データを再生する音楽再生部を備えている構成とすることができる。
【００１５】
上記の構成によれば、表示部に画像データの表示を行うと同時に、ＢＧＭ等の音楽再生を行わせることができる。
【００１６】
また、上記画像表示装置では、外部メモリとの接続部を備え、上記ディスクドライバ部は、接続された外部メモリから読み出される画像データを、上記光記録媒体の記録可能領域に書き込み可能である構成とすることができる。
【００１７】
上記構成によれば、画像データを格納した外部メモリを画像表示装置に接続し、この外部メモリからディスクドライバ部に挿入された光記録媒体に画像データの転送を行うことができる。
【００１８】
また、上記画像表示装置では上記光記録媒体の記録可能領域には、画像データおよびアプリケーションデータの選択設定情報が記録可能であり、上記ディスクドライバ部に上記光記録媒体が挿入された時には、上記選択設定情報に基づいて、表示に使用する画像データ、および表示と同時に用いるアプリケーションデータが選択される構成とすることができる。
【００１９】
上記の構成によれば、選択設定情報が格納された光記録媒体が画像表示装置に挿入された時、上記選択設定情報に基づいて、表示に使用する画像データ、および表示と同時に用いるアプリケーションデータが選択される。このため、ユーザーは光記録媒体を挿入するのみで、他に一切の操作を行うこと無く、画像表示装置に表示データを表示させることができる。
【発明の効果】
【００２０】
本発明の画像表示装置は、再生専用領域と記録可能領域との両方を有し、上記記録可能領域に画像データを格納しており、上記再生専用領域にアプリケーションデータを格納している光記録媒体を駆動可能であり、上記光記録媒体に対するデータの読み出しを行うディスクドライバ部と、上記光記録媒体の記録可能領域から読み出された画像データを用いて表示データを生成する表示データ生成部と、上記表示データ生成によって生成された表示データを表示する表示部とを備えており、上記光記録媒体から読み出された画像データを上記表示部にて表示する時には、上記光記録媒体の再生専用領域から少なくとも１種類のアプリケーションデータを読み出して用いる構成である。
【００２１】
それゆえ、ユーザーは好みのアプリケーションデータが格納された光記録媒体を購入し、上記光記録媒体を交換することで、画像表示装置のアプリケーションを後から変更することが可能となる。さらに、光記録媒体は再生専用領域と記録可能領域とを備えたハイブリッドディスクであるため、ユーザーは、記録可能領域に格納された写真等の画像データに、自分の好みのアプリケーションデータを組み合わせたパッケージとして光記録媒体を得ることができる。
【図面の簡単な説明】
【００２２】
【図１】本発明の一実施形態を示すものであり、画像表示装置の要部構成を示すブロック図である。
【図２】上記画像表示装置の記録媒体として使用される光ディスクの構成を示す図である。
【図３】上記画像表示装置の操作部の一構成例を示す平面図である。
【図４】上記画像表示装置のユーザーインターフェースにおける表示画面例を示すものであり、（ａ）は選択モード画面、（ｂ）は画像データ選択画面を示す図である。
【図５】本発明の変形例を示すものであり、画像表示装置の要部構成を示すブロック図である。
【発明を実施するための形態】
【００２３】
以下、本発明の実施の形態について、図面を参照して詳細に説明する。先ずは、本実施の形態にかかる画像表示装置の要部構成を図１に示す。
【００２４】
図１に示す画像表示装置１０は、いわゆるデジタルフォトフレームとしての用途を有して構成されているものである。画像表示装置１０は、制御部（表示データ生成部）１１、表示部１２、ディスクドライバ部１３、作業用メモリ１４、不揮発性メモリ１５、データＩ／Ｆ（外部メモリとの接続部）１６、操作部１７を備えている。
【００２５】
制御部１１は、ＣＰＵ(Central Processing Unit)を含むものであり、画像表示装置１０の全体を制御する手段であると共に、後述する画像処理機能も有する。表示部１２は、液晶ディスプレイや有機ＥＬディスプレイ等の画像表示手段であり、制御部１１から送られてくる画像データを表示する。ディスクドライバ部１３は、図示しないディスク挿入口に挿入された光ディスク（光記録媒体）２０に対してデータの読み出しおよび書き込みを行う。
【００２６】
作業用メモリ１４は、制御部１１が処理を行う際に用いられるメモリであり、ＤＲＡＭ等が用いられる。不揮発性メモリ１５は、制御部１１における制御プログラム等を格納するメモリであり、ＦＬＡＳＨメモリ等が用いられる。また、画像表示装置１０では、データＩ／Ｆ１６を介して、ＵＳＢやＳＤカード等の外部メモリ３０と接続可能であり、外部メモリ３０から画像データを取り込むことが可能となっている。尚、ここでは、外部メモリ３０は、デジタルカメラやパーソナルコンピュータ（以下、パソコン）等の外部機器も含むものとする。操作部１７は、ユーザーが画像表示装置１０に対して操作入力を行うための手段である。
【００２７】
本実施の形態においては、画像データを格納する記録媒体として光ディスク２０を用いている。光ディスク２０は、図２に示すように、再生専用領域（以降「ＲＯＭ(Read Only Memory)領域」とも表記する）と記録可能領域（以降、説明のため「ＲＥ(RE-writable)領域」とも表記する）とを備えたハイブリッドディスクである。尚、光ディスク２０において適用される記録媒体システムは特に限定されず、例えばＢＤ(Blu-ray Disc；登録商標)システムであっても良く、ＤＶＤ(Digital Versatile Disc)システムであっても良い。
【００２８】
光ディスク２０において、写真等の画像データはＲＥ領域に記録される。画像表示装置１０を用いて画像データを光ディスクに書き込む時には、以下の手順で処理が行われる。先ず、光ディスク２０がディスクドライバ部１３に装着され、記録しようとする画像データを格納している外部メモリ３０がデータＩ／Ｆ１６に接続される。外部メモリ３０上にある画像データは、データＩ／Ｆ１６および制御部１１を介して、作業用メモリ１４に一旦保存される。作業用メモリ１４に保存されたデータを、光ディスク２０のファイルシステム上のどこに格納するかを、制御部１１が決定する（ユーザーが指定した場所に格納しても良い）。そして、決定された光ディスク２０上の格納先に、作業用メモリ１４からデータを転送する。尚、光ディスク２０における画像データの記録は、画像表示装置１０を用いずに、パソコン等を用いて行うことも可能である。
【００２９】
光ディスク２０のＲＯＭ領域には、例えば、写真の額縁に使う模様（合成用画像データ）、スライドショーの効果等のアプリケーションデータが記録されている。尚、スライドショーとは、例えば、光ディスク２０のＲＥ領域に複数の画像データが格納されている時に、これらの画像データを順次表示するような効果であり、スライドショーのアプリケーションデータとは、そのようなスライドショーを行わせるためのプログラムデータのことである。また、図１においては図示されていないが、画像表示装置１０が音楽再生機能を有していれば、ＢＧＭ等の音楽データもＲＯＭ領域にアプリケーションデータとして記録してもよい。尚、画像表示装置１０が音楽再生機能を有するとは、画像表示装置１０自体がスピーカ等の音楽再生部を有している構成であっても良く、あるいは外付けされるスピーカに音楽データを出力できる構成であっても良い。
【００３０】
画像表示装置１０において、表示部１２にて表示を行う場合、光ディスク２０のＲＥ領域から表示する画像データを読み出す。また、表示画面に額縁を入れる場合には、額縁データをＲＯＭ領域から読み出す。制御部１１では、ＲＥ領域から読み出した画像データに、ＲＯＭ領域から読み出した額縁データを合成する画像処理を行い、その合成データを表示データとして表示部１２に転送する。表示部１２では、この表示データを表示する。
【００３１】
また、表示部１２においてスライドショーを行う場合は、制御部１１はＲＯＭ領域からスライドショーの実行データを読み出し、この実行データに基づいてスライドショーを行わせる。また、ＢＧＭを再生する場合には、制御部１１はＲＯＭ領域からＢＧＭの音楽データを読み出し、この音楽データに音楽再生部（図示せず）にて再生させる。
【００３２】
光ディスク２０は、基本的には、デジタルフォトフレームとしての用途を有する画像表示装置１０での使用に特化されたものとして販売される。このため、ＲＯＭ領域に格納されたアプリケーションデータは予め記録されているものであり、ユーザーは好みのアプリケーションデータが格納された光ディスク２０を購入することができる。アプリケーションデータは、ＲＯＭ領域に記録されているため、ユーザーの誤った操作によって消去される虞も無い。また、光ディスク２０を交換することで、デジタルフォトフレームのアプリケーションを後から変更することが可能となる。
【００３３】
例えば、ＲＯＭ領域に格納されたアプリケーションに、様々なスライドショーのアプリケーションを格納することで、ディスクごとに異なるスライドショー効果をもたせることができる。
【００３４】
あるいは、ＲＯＭ領域にキャラクターの画像データを格納しておき、写真を表示するときに、キャラクターデータと交互に表示、重ねて表示、あるいは画面を分割して表示することができるようにする。ユーザーは好みのキャラクターを選択して表示することができる。ディスク販売業者がキャラクターの著作権をあらかじめ取得しておくことで、ユーザーは著作権を気にすることなく自由にキャラクターデザインを利用することができる。または、ＲＯＭ領域にＢＧＭとして使う音楽データをあらかじめ格納しておく。ディスク販売業者が音楽の著作権をあらかじめ取得しておくことで、ユーザーは著作権を気にすることなく自由にＢＧＭとして利用することができる。
【００３５】
また、光ディスク２０は、ＲＯＭ領域とＲＥ領域とを備えたハイブリッドディスクであるため、ユーザーは、ＲＥ領域に格納された写真等の画像データに、自分の好みのアプリケーションデータを組み合わせたパッケージとして光ディスク２０を持つことができる。これより例えば、同じ画像表示装置１０を持つ相手であれば、写真データ等に自分で選択したアプリケーション（額縁やＢＧＭ）の組み合わされた光ディスク２０を贈ることもできる。
【００３６】
次に、画像表示装置１０のユーザーインターフェースの構成例について述べる。すなわち、光ディスク２０は記録容量の大きな媒体であり、ＲＥ領域に格納可能な画像データは複数枚分であることが想定される。また、ＲＯＭ領域に格納されるアプリケーションデータも額縁やＢＧＭのそれぞれにおいて複数種類備えることは容易である。このように、光ディスク２０に画像データやアプリケーションデータが複数格納されている場合には、表示に使用するデータをユーザー自身が選択する必要があり、画像表示装置１０は上記選択のためのユーザーインターフェースを備える必要がある。
【００３７】
図３は操作部１７の構成例を示すものであり、この例では、カーソル移動ボタン１７Ａ、決定ボタン１７Ｂ、選択モードボタン１７Ｃが備えられている。ユーザーが表示データ選択を行う時には、選択モードボタン１７Ｃを押すことによって表示部１２が選択モード画面（図４（ａ）参照）に切り替わる。
【００３８】
選択モード画面では、カーソル移動ボタン１７Ａと決定ボタン１７Ｂとの操作によって、画像データ、額縁、スライドショー効果、ＢＧＭの何れの選択を行うかを決めることができる。図４（ａ）では、「画像データ選択」にカーソルがあっているが、このカーソルをカーソル移動ボタン１７Ａによって移動させ、決定ボタン１７Ｂで決定する。例えば、図４（ａ）の状態で決定ボタン１７Ｂを押すと、図４（ｂ）に示す画像データ選択画面に移行する。
【００３９】
画像データ選択画面では、カーソル移動ボタン１７Ａと決定ボタン１７Ｂとの操作によって、表示する画像データの選択を行うことができる。図４（ｂ）では、「データ１」にカーソルがあっているが、このカーソルをカーソル移動ボタン１７Ａによって移動させ、決定ボタン１７Ｂで決定する。また、図４（ｂ）の状態で決定ボタン１７Ｂを押すと、図４（ａ）に示す選択モード画面に戻る。
【００４０】
額縁、スライドショー効果、ＢＧＭの選択についても、画像データと同様の操作で選択が行える。また、図４（ａ）に示す選択モード画面の状態で選択モードボタン１７Ｃを押すことで選択モードは終了し、通常の表示モードに戻る。
【００４１】
上記選択によって行われる設定（選択設定情報）は、光ディスク２０のＲＥ領域に設定記録領域を設け、その設定記録領域に格納することが好適である。こうすることで、上記設定のされた光ディスク２０が画像表示装置１０に挿入された時、制御部１１は設定記録領域に格納されている設定情報を読み出し、これに基づいて表示を行わせることができる。すなわち、ユーザーはディスクを挿入するのみで、他に一切の操作を行うこと無く、表示された写真等を鑑賞することができる。
【００４２】
また、画像データやアプリケーションデータが格納されているが、上記設定のなされていない光ディスク２０が画像表示装置１０に挿入された時には、最初に上記選択モード画面が表示されるとよい。
【００４３】
図１における画像表示装置１０は、表示部１２を制御部１１およびディスクドライバ部１３を含む本体部分に一体に設けている。しかしながら、本発明はこれに限定されるものではなく、図５に示すように、表示部１２は本体と別筐体とし、表示Ｉ／Ｆ１８を介して接続される構成であっても良い。
【００４４】
また、上記説明では、光ディスク２０のＲＯＭ領域にアプリケーションデータが予め記録されているとしているが、本発明はこれに限定されるものではなく、アプリケーションデータはネットワークを経由して取得するものであっても良い。
【００４５】
この場合は、例えば、光ディスク２０のＲＯＭ領域に認証のためのデータを格納しておく。ユーザーは、パソコン等からネットワークを介してアプリケーションデータの供給元にアクセスし、供給元では上記認証データを確認することでアプリケーションデータのダウンロードを許可するようにする。
【００４６】
上記構成では、ユーザーは、キャラクターデザインや音楽を好みの組み合わせでダウンロードできる。また、ユーザーが購入できるアプリケーションデータの種類を増やすことも容易となる。これより、ユーザー側でアプリケーションデータの選択性をより広げることができる。
【００４７】
〔補足〕
最後に、画像表示装置１０の各ブロック、特に制御部１１は、ハードウェアロジックによって構成してもよいし、次のようにＣＰＵを用いてソフトウェアによって実現してもよい。
【００４８】
すなわち、画像表示装置１０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである画像表示装置１０の制御プログラムのプログラムコード（実行形式プログラム、中間コードプログラム、ソースプログラム）をコンピュータで読み取り可能に記録した記録媒体を、前記画像表示装置１０に供給し、そのコンピュータ（又はＣＰＵやＭＰＵ）が記録媒体に記録されているプログラムコードを読み出し実行することによっても、達成可能である。
【００４９】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５０】
また、画像表示装置１０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【００５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５２】
本発明は、額縁の模様、スライドショーの効果、ＢＧＭなどを後から変更可能とするデジタルフォトフレームに利用することができる。
【符号の説明】
【００５３】
１０    画像表示装置
１１    制御部（表示データ生成部）
１２    表示部
１３    ディスクドライバ部
１４    作業用メモリ
１５    不揮発性メモリ
１６    データＩ／Ｆ（外部メモリとの接続部）
１７    操作部
１８    表示Ｉ／Ｆ
２０    光ディスク（光記録媒体）
３０    外部メモリ
【図１】
2011166343.tif 000003
【図２】
2011166343.tif 000004
【図３】
2011166343.tif 000005
【図４】
2011166343.tif 000006
【図５】
2011166343.tif 000007